(57)【要約】【課題】光源又は電源が劣化・故障により異常となった場合に、迅速に光源や電源を修理・交換できる内部照明式交通標識装置を提供する。【解決手段】本発明の内部照明式交通標識装置１は、電源１２より電圧が印可されることにより光源３を点灯して、表示板５を照らす内部照明式交通標識装置１において、電源１２又は光源３の異常判定を行う判定手段と、当該判定手段の判断に基づき、電源１２又は光源３の異常を報知する報知手段とを備えたことを特徴とする。【選択図】図１
2015017386.tif 000002
【特許請求の範囲】
【請求項１】
電源より電圧が印可されることにより光源を点灯して、表示板を照らす内部照明式交通標識装置において、
前記電源又は前記光源の異常判定を行う判定手段と、
前記判定手段の判断に基づき、前記電源又は前記光源の異常を報知する報知手段と
を備えたことを特徴とする内部照明式交通標識装置。
【請求項２】
前記光源に印可される電圧を検出する電圧検出手段を備え、
前記判定手段は、前記検出された電圧に基づいて前記異常判定を行う
こと特徴とする請求項１に記載の内部照明式交通標識装置。
【請求項３】
前記光源に供給される電流を検出する電流検出手段と、
前記電流検出手段により検出された電流を積算して記憶する積算電流記憶手段と
を備え、
前記判定手段は、前記積算電流記憶手段に記憶された値に基づいて前記異常判定を行う
こと特徴とする請求項１に記載の内部照明式交通標識装置。
【発明の詳細な説明】
【技術分野】
【０００１】
本発明は、内部照明式交通標識装置に関する。
【背景技術】
【０００２】
道路交通標識に用いられる内部照明式交通標識は、文字・記号・図柄等が設けられた透光性の表示板の裏側にエッジライト型の導光板を配置し、光源を当該導光板の側面に配置する構成となっている。そして、光源を点灯することにより、導光板の出射面より光が出射されて、表示板を照らしている。（特許文献１参照）
【０００３】
このような内部照明式交通標識において、光源又は電源が劣化・故障する事により、光源が所定以上の光度で発光しない場合には、表示板が適切に照らされず、交通標識を認識し難くなる。そのため、従来は、定期的に光源又は電源を新しいものに交換していた。
【特許文献１】特開平８−４１８３２号公報
【発明の開示】
【発明が解決しようとする課題】
【０００４】
しかし、定期的に交換する前に、光源又は電源が劣化した場合には、表示板が適切に照らされない虞があったり、光源又は電源が故障した場合には、故障に気付くまで表示板が照らされず、歩行者や運転手が交通標識を認識できない虞があったりした。
【０００５】
そこで、本発明は、上記した課題を解決するためになされたものであり、その目的は、光源又は電源が劣化・故障により異常となった場合に、迅速に光源や電源を修理・交換できる内部照明式交通標識装置を提供することにある。
【課題を解決するための手段】
【０００６】
上記課題を解決するため、本発明の内部照明式交通標識装置は、電源より電圧が印可されることにより光源を点灯して、表示板を照らす内部照明式交通標識装置において、前記電源又は前記光源の異常判定を行う判定手段と、前記判定手段の判断に基づき、前記電源又は前記光源の異常を報知する報知手段とを備えたことを特徴とする。
【０００７】
このような内部照明式交通標識装置によれば、光源又は電源が劣化・故障したことを報知手段により、内部照明式交通標識装置の管理者は即時に知ることができるので、迅速に光源又は電源を修理・交換することができる。
【０００８】
また、光源に印可される電圧を検出する電圧検出手段を備え、判定手段は、検出された電圧に基づいて異常判定を行うことができる。
【０００９】
また、光源に供給される電流を検出する電流検出手段と、電流検出手段により検出された電流を積算して記憶する積算電流記憶手段とを備え、判定手段は、積算電流記憶手段に記憶された値に基づいて異常判定を行うことができる。
【発明の効果】
【００１０】
上記のように、本発明によれば、光源又は電源が劣化・故障により異常になった場合に、迅速に光源や電源を修理・交換できる内部照明式交通標識装置が提供される。
【図面の簡単な説明】
【００１１】
【図１】本実施形態の内部照明式交通標識装置の構成を示す図。
【発明を実施するための形態】
【００１２】
以下、図面を参照しながら、本発明の内部照明式交通標識装置に係る実施形態について説明する。
【００１３】
図１は、本実施形態の内部照明式交通標識装置の構成を示す図である。
【００１４】
図１の内部照明式交通標識装置１は、光源３と導光板４と表示板５とを備える交通標識２と、電源１１と、電源回路１２と、電圧検出器１３と、演算処理回路１４と、外部メモリ１５と、通信機器１６とを備える。
【００１５】
光源３は、交通標識２の縦寸法と略同一の長さを有した直線状のＬＥＤユニットであって、導光板４の横方向の両側面（図１では片側を省略）に対向した位置に各々設けられている。そして、ＬＥＤユニットには、複数のＬＥＤチップが設けられている。
【００１６】
導光板４は、側面が光源３と対向するように配置されており、光源３からの光が導光板４の側面からその内側へ入光するように設けられている。導光板４は、無色透明な板体状部材で、その後面の全体に亘って多数の光拡散体がドット状に付着して設けられている。これは、導光板４の側面から入光した光が各光拡散体に反射されて、導光板４の前面側を面発光させるように構成されている。
【００１７】
表示板５は、導光板４の前面側に設けられている。表示板５は、板状の透明な乳白色のアクリル樹脂板であって、その表面には、再帰反射シート６が貼着されている。再帰反射シート６は、透明な内部全反射型キューブコーナー型再帰反射シートである。そして、再帰反射シート６の表面には、所定の表示内容になるように、透明着色フィルムからなる着色層７が設けられている。
【００１８】
電源１２は、光源３に電圧を印可して、光源３を点灯させるための電源である。
【００１９】
電圧検出手段１３は、光源３に印可される電圧を検出するための手段である。
【００２０】
演算処理回路１４は、制御回路を構成するもので、ＣＰＵ、ＲＯＭ等を備えている。ＲＯＭには、後述する異常報知を行うためのプログラムを含む各種のプログラムが記憶され、ＣＰＵはそのプログラムに従って各種処理を実行する。この演算処理回路１４は、電源１２とは別の電源より電圧の供給を受けて動作する。
【００２１】
外部メモリ１５は、演算処理回路１４の処理の実行に伴って計算された各種データ（積算電流等）を記憶させる手段である。
【００２２】
通信機器１６は、演算処理回路１４にて異常報知するように判定された場合に、例えば、携帯電話等の外部通信機器に異常を知らせるデータを送信するための報知手段である。
【００２３】
上記した構成において、光源３の異常（劣化・故障）を報知する処理について以下に説明する。この処理は、中央演算処理回路１４におけるＣＰＵで実行される。
【００２４】
電圧検出手段１３は、光源３に印可される電圧を検出する。そして、検出した値を、ＣＰＵに電圧値として出力する（ステップ１）。
この後、ＣＰＵは、電圧検出手段１３から出力された電圧値に基づき、光源３の異常判定を行う。具体的には、電圧値が所定の範囲内にあるか否かを判定する（ステップ２）。
そして、ステップ２で電圧値が所定の範囲外であると判定された場合には、ＣＰＵより、通信機器１６に対して、異常を報知するように信号が出力される（ステップ３）
通信機器１６は、ＣＰＵより出力された信号に基づき、内部照明式交通標識装置の管理者が携帯している外部通信機器（例えば、携帯電話）に、異常を知らせるデータを送信する。（ステップ５）
【００２５】
こうして、異常報知を確認した内部照明式交通標識装置の管理者は、迅速に光源や電源を修理・交換できる。
【００２６】
以上、本発明について、本実施形態を例に説明したが、本発明はこれらに限定されるものではない。
例えば、光源に供給される電流を検出する電流検出手段と、電流検出手段により検出された電流を積算して記憶する積算電流記憶手段とを備え、判定手段は、積算電流記憶手段に記憶された値に基づいて、電源又は光源の異常判定を行っても良い。
【産業上の利用可能性】
【００２７】
以上説明したように、本発明によれば、光源又は電源が劣化・故障により異常となった場合に、迅速に光源や電源を修理・交換できる内部照明式交通標識装置を、提供することができる。
【符号の説明】
【００２８】
１・・・内部照明式交通標識装置
２・・・交通標識
３・・・光源
４・・・導光板
５・・・表示板
６・・・再帰反射シート
７・・・着色層
１２・・・電源
１３・・・電圧検出器
１４・・・演算処理回路
１５・・・外部メモリ
１６・・・通信機器
【図１】
2015017386.tif 000003